(57)【特許請求の範囲】
【請求項１】
原稿を読み取るイメージセンサと、
前記イメージセンサの出力信号から原稿画像を生成する画像生成部と、
前記画像生成部により生成される原稿画像が、不適切な状態で原稿が読み取られた不適画像であるか否かを判断する判断部と、
前記不適画像を保持する画像保持部と、
前記不適画像を表示する表示装置の表示を制御する表示制御部と、
前記表示装置に表示された前記不適画像の原稿を前記イメージセンサで再読み取りする読取指示及び前記表示装置上における前記不適画像の表示の停止指示を、ユーザから受け付ける指示受付部と、を備え、
前記表示制御部は、前記読取指示に応じた原稿の再読み取りが完了した場合、前記不適画像及び再読み取りした画像を同時に前記表示装置に表示し、前記停止指示が入力されるまで前記不適画像を前記表示装置に表示する、
ことを特徴とする画像読取装置。
【請求項２】
前記表示制御部は、前記読取指示により再読み取りする前に、複数の原稿を連続して読み取った複数の原稿画像から複数の不適画像を抽出して前記表示装置上に同時表示することを特徴とする請求項１に記載の画像読取装置。
【請求項３】
前記指示受付部は、更に、前記読取指示により再読み取りする原稿を指定するために、前記表示装置に表示される前記複数の不適画像のいずれかをユーザが指定する指定指示を受け付けることを特徴とする請求項２に画像読取装置。
【請求項４】
前記読取指示により再読み取りされた原稿が、前記複数の不適画像のいずれの原稿であるかを特定する原稿特定部と、
前記原稿特定部により特定される前記不適画像を再読み取りされた原稿画像で置換する置換部と、
を備えることを特徴とする請求項２に画像読取装置。
【請求項５】
前記表示制御部は、
前記読取指示が入力されるまで前記不適画像と共に第１メッセージを前記表示装置に表示し、
前記読取指示に応じた原稿の再読み取り開始後に、前記停止指示が入力されるまで前記不適画像と共に第２メッセージを前記表示装置に表示する、
ことを特徴とする請求項１〜４のいずれか一項に記載の画像読取装置。
【請求項６】
前記読取指示により読み取られた原稿を排出する位置と他の原稿を排出する位置とを異ならせる原稿送り機構を有することを特徴とする請求項１〜５のいずれか一項に記載の画像読取装置。
【請求項７】
前記原稿に添付された付箋の位置を検出する付箋位置検出部と、
前記不適画像を複数に分割した部分画像のうち、付箋を読み取った画像を含む部分を選択して前記画像保持部に保持する画像分割部と、
を備えることを特徴とする請求項１〜６のいずれか一項に記載の画像読取装置。
【請求項８】
前記原稿に添付された付箋の位置を検出する付箋位置検出部を備え、
前記画像表示部は、不適画像中の付箋の位置を前記表示装置上で強調表示することを特徴とする請求項１〜６のいずれか一項に記載の画像読取装置。
【請求項９】
画像読取方法であって、画像読取装置に、
イメージセンサで原稿を読み取る処理と、
前記イメージセンサの出力信号から原稿画像を生成する処理と、
生成された前記原稿画像が、不適切な状態で原稿が読み取られた不適画像であるか否かを判断する処理と、
前記不適画像を画像保持部に保持する処理と、
前記不適画像を表示装置に表示する処理と、
前記表示装置に表示された不適画像の原稿を前記イメージセンサで再読み取りする読取指示をユーザから受け付ける処理と、
前記読取指示に応じた原稿の再読み取りを完了した後に、前記不適画像及び再読み取りした画像を同時に前記表示装置に表示し、前記不適画像の原稿を前記表示装置に表示したまま前記不適画像の表示の停止指示をユーザから受け付ける処理と、
を実行させることを特徴とする画像読取方法。
【請求項１０】
制御部を備えた情報処理装置に実行させるための画像読取プログラムであって、
前記制御部に実行させるための、
イメージセンサで原稿を読み取る読取ステップと、
前記イメージセンサの出力信号から原稿画像を生成する画像生成ステップと、
生成された前記原稿画像が、不適切な状態で原稿が読み取られた不適画像であるか否かを判断する判断ステップと、
前記不適画像を画像保持部に保持する画像保持ステップと、
前記不適画像を表示装置に表示する画像表示ステップと、
前記表示装置に表示された不適画像の原稿を前記イメージセンサで再読み取りする読取指示をユーザから受け付ける第１の指示受付ステップと、
前記読取指示に応じた原稿の再読み取りを完了した後に、前記不適画像及び再読み取りした画像を同時に前記表示装置に表示し、前記不適画像の原稿を前記表示装置に表示したまま前記不適画像の表示の停止指示をユーザから受け付ける第２の指示受付ステップと、
を含むことを特徴とする画像読取プログラム。
【請求項１１】
原稿を読み取る画像読取装置から原稿画像を入力するコンピュータ上で実行される画像読取プログラムであって、
プロセッサに、
前記画像読取装置が読み取った原稿画像のうち、不適切な状態で原稿が読み取られた画像であると判断された不適画像を画像保持部に保持する画像保持ステップと、
前記不適画像を表示装置に表示する画像表示ステップと、
前記表示装置に表示された不適画像の原稿を前記画像読取装置で再読み取りする読取指示をユーザから受け付ける第１の指示受付ステップと、
前記読取指示に応じた原稿の再読み取りを完了した後に、前記不適画像及び再読み取りした画像を同時に前記表示装置に表示し、前記不適画像の原稿を前記表示装置に表示したまま前記不適画像の表示の停止指示をユーザから受け付ける第２の指示受付ステップと、
を含むことを特徴とする画像読取プログラム。
【発明の詳細な説明】
【技術分野】
【０００１】
本明細書で論じられる実施態様は、原稿をイメージセンサで読み取る画像読取装置、画像読取方法及び画像読取プログラムに関する。
【背景技術】
【０００２】
画像読取装置は、原稿をイメージセンサで走査することにより電子的な画像データを生成する。このような画像読取装置の操作方法の一つとして、走査の中断の後にメモリに補足されていた最後の画像を表示し、及び部分的に完了したジョブにオペレータがアクセスすることを可能にするようにした電子複写装置の操作方法が知られている。操作方法は、印字すべきジョブを構成する一組の原画書類を走査する段階と、前記走査された書類の画像をメモリに電子的に記憶させる段階と、前記ジョブの走査の完了前の走査中断に対して複写装置をモニタする段階と、走査中断が検出されたとき、支障なく走査済みの前記書類の画像をオペレータアクセス可能メモリ内に保有する段階とを有し、前記一組の書類の走査が前記ジョブの完了前に中断されたときに前記記憶された画像へのアクセスを可能にする。
【０００３】
また、画像読取装置に読み取られる画像を表示する表示装置が知られている。表示装置は、文字または画像を表示可能な表示画面と、文字または画像に関する元画像情報を記憶する元画像情報記憶手段と、その元画像情報記憶手段に記憶された元画像情報に基づく元画像を前記表示画面へ表示する元画像表示手段と、前記表示画面に設けられ加筆および消去が可能な光透過性の入力部を備える。表示装置は、前記入力部に加筆された加筆画像または前記表示画面に表示された画像を読取装置により読み取らせて読取データを作成させるものであり、前記元画像表示手段により前記表示画面に元画像が表示された状態で前記入力部に加筆された加筆画像を前記読取装置に読み取らせる場合に、加筆画像を読み取りやすいように、前記表示画面の表示内容を変化させる読取モード手段を備える。
【先行技術文献】
【特許文献】
【０００４】
【特許文献１】特開平４−２８４０５９号公報
【特許文献２】特開２００６−１１３２３２号公報
【発明の概要】
【発明が解決しようとする課題】
【０００５】
原稿を読み取り作業中に原稿や画像読取装置が不適切な状態になると、オペレータは画像読取装置や原稿を適切な状態に回復してから作業を再開する。この場合に、オペレータは、不適切な状態で原稿が読み取られた状況を読み取り完了まで覚えておかなければならないことがあり、オペレータの心理的負担となっている。
【０００６】
例えば、原稿に付箋やメモが貼り付けられていた場合に、オペレータは一時的に付箋やメモを取り除いてから読み取り作業を再開し、読み取り終了後に元の位置に付箋やメモを貼り直す。この場合にオペレータは、付箋やメモの元の貼り付け位置を記憶する必要がある。例えば、原稿のマルチフィードが発生して原稿送りが停止した場合には、全頁の原稿をフィーダに再セットして読み取り作業を再開し、後にマルチフィードの発生箇所でページの欠落や重複がないか確認する。この場合にオペレータは、マルチフィードの発生箇所を記憶する必要がある。
【０００７】
開示の装置及び方法は、不適切な状態で原稿が読み取られた場合におけるオペレータの再読み取り作業を補助することを目的とする。
【課題を解決するための手段】
【０００８】
装置の一観点によれば、画像読取装置が与えられる。画像読取装置は、原稿を読み取るイメージセンサと、イメージセンサの出力信号から原稿画像を生成する画像生成部と、画像生成部により生成される原稿画像が、不適切な状態で原稿が読み取られた不適画像であるか否かを判断する判断部と、不適画像を保持する画像保持部と、不適画像を表示する表示装置の表示を制御する表示制御部と、表示装置に表示された不適画像の原稿をイメージセンサで再読み取りする読取指示及び表示装置上における不適画像の表示の停止指示を、ユーザから受け付ける指示受付部を備える。表示制御部は、読取指示に応じた原稿の再読み取りが完了しても停止指示が入力されるまで不適画像を表示装置に表示する。
【０００９】
方法の一観点によれば、画像読取装置に実行される画像読取方法が与えられる。画像読取方法は、画像読取装置に、イメージセンサで原稿を読み取る処理と、イメージセンサの出力信号から原稿画像を生成する処理と、生成された原稿画像が、不適切な状態で原稿が読み取られた不適画像であるか否かを判断する処理と、不適画像を画像保持部に保持する処理と、不適画像を表示装置に表示する処理と、表示装置に表示された不適画像の原稿をイメージセンサで再読み取りする読取指示をユーザから受け付ける処理と、読取指示に応じた原稿の再読み取りを完了した後に、不適画像の原稿を表示装置に表示したまま不適画像の表示の停止指示をユーザから受け付ける処理を実行させる。
【００１０】
コンピュータプログラムの一観点によれば、制御部を備えた情報処理装置に実行させるための画像読取プログラムが与えられる。画像読取プログラムは、制御部に実行させるための、イメージセンサで原稿を読み取る読取ステップと、イメージセンサの出力信号から原稿画像を生成する画像生成ステップと、生成された原稿画像が、不適切な状態で原稿が読み取られた不適画像であるか否かを判断する判断ステップと、不適画像を画像保持部に保持する画像保持ステップと、不適画像を表示装置に表示する画像表示ステップと、表示装置に表示された不適画像の原稿をイメージセンサで再読み取りする読取指示をユーザから受け付ける第１の指示受付ステップと、読取指示に応じた原稿の再読み取りを完了した後に、不適画像の原稿を表示装置に表示したまま不適画像の表示の停止指示をユーザから受け付ける第２の指示受付ステップを含む。
【００１１】
他のコンピュータプログラムの一観点によれば、原稿を読み取る画像読取装置から原稿画像を入力するコンピュータ上で実行される画像読取プログラムが与えられる。画像読取プログラムは、プロセッサに、画像読取装置が読み取った原稿画像のうち、不適切な状態で原稿が読み取られた画像であると判断された不適画像を画像保持部に保持する画像保持ステップと、不適画像を表示装置に表示する画像表示ステップと、表示装置に表示された不適画像の原稿を画像読取装置で再読み取りする読取指示をユーザから受け付ける第１の指示受付ステップと、読取指示に応じた原稿の再読み取りを完了した後に、不適画像の原稿を表示装置に表示したまま不適画像の表示の停止指示をユーザから受け付ける第２の指示受付ステップを含む。
【発明の効果】
【００１２】
本件開示の装置又は方法によれば、不適切な状態で画像読取装置が原稿を読み取った場合に、再読み取り作業を行うオペレータの負担が軽減される。
【図面の簡単な説明】
【００１３】
【図１】画像読取システムのハードウエア構成例を示す図である。
【図２】制御部の機能ブロック図である。
【図３】付箋検出時の処理の説明図である。
【図４】付箋付き画像の記憶処理の説明図である。
【図５】（Ａ）〜（Ｃ）は付箋付き画像の説明図である。
【図６】付箋付き画像の表示処理の説明図である。
【図７】（Ａ）及び（Ｂ）は、付箋付き画像の表示態様の模式図である。
【図８】付箋付き画像を非表示にする表示制御処理の説明図である。
【図９】単数葉再読取処理の説明図である。
【図１０】（Ａ）及び（Ｂ）は、再読み取り完了後のＧＵＩの表示状態の説明図である。
【図１１】単数葉指示受付処理の説明図である。
【図１２】複数葉指示受付処理の第１例の説明図である。
【図１３】（Ａ）及び（Ｂ）は、図１２の複数葉指示受付処理におけるＧＵＩの表示状態の説明図である。
【図１４】（Ａ）及び（Ｂ）は、図１２の複数葉指示受付処理における再読み取り後のＧＵＩの表示状態の説明図である。
【図１５】複数葉指示受付処理の第２例の説明図である。
【図１６】マルチフィード検出時の処理の説明図である。
【図１７】（Ａ）はマルチフィード発生時のＧＵＩの表示状態の説明図であり、（Ｂ）は再読み取り後の発生時のＧＵＩの表示状態の説明図である。
【発明を実施するための形態】
【００１４】
＜１．１ハードウエア構成＞
以下、添付する図面を参照して本発明の実施例について説明する。図１は、画像読取システムのハードウエア構成例を示す図である。画像読取システム１は、画像読取装置１０と制御装置３０と、外部表示装置４０を備える。画像読取装置１０は、２次元の原稿を読み取って、この原稿に対応する画像信号を生成する。画像読取装置１０は、例えば、複数の光源で露光された２次元原稿を走査して読み取る画像読取装置であってよい。このような、例えば画像読取装置の例として、例えばフィーダスキャナ、フラットベッドスキャナ、ハンディスキャナ等の各種スキャナ装置が挙げられる。
【００１５】
制御装置３０は、有線又は無線の通信回線を介して画像読取装置１０との間で通信が可能なコンピュータ装置である。制御装置３０は、この通信回線を経由して画像読取装置１０が読み取った原稿の画像信号を画像読取装置１０から受信する。制御装置３０は、画像読取装置１０から受信した画像を外部表示装置４０に出力することができる。
【００１６】
＜１．２  画像読取装置＞
画像読取装置１０は、制御部１１と、メモリ１２と、信号出力部１３と、センサ駆動部１４と、モータ駆動部１５と、操作入力部１６と、表示部１７と、インタフェース（Ｉ／Ｆ）１８を備える。また、画像読取装置１０は、ランプ２１と、ブザー２２と、イメージセンサ２３と、超音波センサ２４と、給紙機構２６と、フィニッシャ２７と、操作ボタン２８を備える。
【００１７】
制御部１１は、メモリ１２に格納されたコンピュータプログラムに従い画像読取装置１０の動作を制御する。制御部１１は、画像読取装置１０が読み取るための画像読取プログラムを実行するＣＰＵ（Central Processing Unit: 中央処理ユニット）や、ＤＳＰ（digital signal processor）を備える。メモリ１２には、画像読取プログラムが格納される。メモリ１２には、画像読取プログラムのほか、その実行の際に使用されるデータや、制御部１１により生成される原稿の画像が格納される。メモリ１２は、画像読取プログラムを記憶するための非揮発性記憶装置や、データを一次的に記憶するための揮発性メモリを含んでいてよい。なお、他の実施例では、画像読取処理を行うための、LSI（large scale integration）やASIC（Application Specific Integrated Circuit）、FPGA（Field-Programming Gate Array）等の論理回路を備えていてもよい。以下に説明される画像読取処理の一部又は全部をハードウエア処理によって実行してもよい。
【００１８】
信号出力部１３は、ランプ２１及びブザー２２を介して、オペレータに対する視覚的指示や視覚的メッセージ、及び聴覚的指示や聴覚的メッセージをそれぞれ出力する。センサ駆動部１４は、イメージセンサ２３及び超音波センサ２４を駆動して、これらのセンサの出力信号を検出し、制御部１１へ出力する。イメージセンサ２３は、原稿を読み取り２次元の原稿を撮像して原稿に対応する画像信号を出力する。超音波センサ２４は、原稿に付箋やメモが貼り付けられていることや、原稿のマルチフィードを検出する。
【００１９】
モータ駆動部１５は、給紙機構（フィーダ）２６及びフィニッシャ２７に駆動力を与えるモータ２５を駆動する。給紙機構２６は、原稿トレイに置かれた原稿を一枚ずつイメージセンサ２３まで搬送した後、読み取り済み原稿をフィニッシャ２７まで搬送する。フィニッシャ２７は、排紙トレイ上に原稿を排出する。フィニッシャ２７は、排紙トレイ上に原稿を排出する排出位置を変更して、複数葉の原稿のうちいずれかを他の原稿の位置からずらす機能を備える。
【００２０】
操作入力部１６は、オペレータによる操作ボタン２８の操作により生じる入力信号を受け付ける。表示部１７は、画像読取装置１０により読み取られた原稿画像や、オペレータに対するメッセージやオペレータの操作を受け付けるグラフィックス・ユーザインタフェース（ＧＵＩ）を表示する。操作ボタン２８は、表示部１７のＧＵＩ上に表示されたソフトウエアボタンであってもよい。操作入力部１６は、表示部１７の表面に設けられた透明のタッチパネルの出力信号を検出することによって、操作ボタン２８の操作による入力を受け付ける。
【００２１】
インタフェース１８は、画像読取装置１０と制御装置３０との間の有線及び／又は無線による通信インタフェースである。画像読取装置１０は、読み取った原稿の画像データをインタフェース１８を介して制御装置３０へ送信することが可能である。画像読取装置１０は、インタフェース１８を介して画像読取装置１０の動作に関する設定情報や指示を制御装置３０から受信する。ある実施例では、画像読取装置１０は、インタフェース１８を制御装置３０により処理が施された画像データを介して受信してよい。
【００２２】
＜１．３  制御装置＞
制御装置３０は、ＣＰＵ（Central Processing Unit: 中央処理ユニット）３１と、メモリ３２と、補助記憶装置３３と、ビデオ信号出力回路３４と、入力部３５と、インタフェース３６を備える。ＣＰＵ３１は、補助記憶装置３３に格納された画像読取アプリケーションプログラムやドライバプログラムを実行することにより、画像読取装置１０を制御し、画像読取装置１０から出力される原稿の画像を取得する。
【００２３】
ある実施例では、ＣＰＵ３１は、画像読取装置１０により読み取られた原稿画像の画像処理を行ってもよい。補助記憶装置３３にはこのような画像処理用プログラムが格納されてもよい。また、補助記憶装置３３には画像読取装置１０により読み取られた原稿画像が格納されてもよい。補助記憶装置３３は、コンピュータプログラムを記憶するための、不揮発性記憶装置や、読み出し専用メモリ（ROM: Read Only Memory）やハードディスクなどを含んでいてもよい。
【００２４】
メモリ３２には、ＣＰＵ３１が現在実行中のプログラムや、このプログラムによって一時的に使用されるデータが記憶される。また、メモリ３２には、画像読取装置１０により読み取られた原稿画像が格納されてもよい。メモリ３２は、ランダムアクセスメモリ（RAM: Random Access Memory）を含んでいてよい。
【００２５】
ビデオ信号出力回路３４は、画像読取装置１０により読み取られた原稿画像や、オペレータに対するメッセージやオペレータの操作を受け付けるＧＵＩを、外部表示装置４０に表示する。入出力部３５は、オペレータによる入力操作を受け付ける。入出力部３５は、例えば、キーパッド、キーボード、ポインティングデバイス、タッチパネル等を備えていてよい。入出力部３５は、外部表示装置４０の表示画面に設けられた透明のタッチパネルの出力信号を検出することによって、ユーザの操作を受け付けてもよい。ＣＰＵ３１は、画像読取装置１０の操作ボタン２８と同じソフトウエアボタンを、外部表示装置４０に表示するＧＵＩに設けてもよい。また、入出力部３５は、視覚的指示や視覚的メッセージ、及び聴覚的指示や聴覚的メッセージをそれぞれオペレータに出力するためのランプやブザー、スピーカを備える。
【００２６】
インタフェース３６は、画像読取装置１０と制御装置３０との間の有線及び／又は無線による通信インタフェースである。制御装置３０は、画像読取装置１０が読み取った原稿の画像データを、インタフェース３６を経由して受信することが可能である。制御装置３０は、インタフェース３６を介して画像読取装置１０の動作に関する設定情報や指示を画像読取装置１０へ送信する。
【００２７】
媒体読取部３７は、コンピュータに読み取り可能な可搬型記録媒体に記憶されたデータを読み取る入力装置である。媒体読取部３７は、例えばＣＤ−ＲＯＭドライブ装置やＤＶＤ−ＲＯＭドライブ装置、フレキシブルディスクドライブ装置、ＣＤ−Ｒドライブ装置や、ＤＶＤ−Ｒドライブ装置、ＭＯドライブ装置、フラッシュメモリ装置へのアクセス装置であってよい。
【００２８】
ネットワークインタフェース（ＮＩＦ）３８は、制御装置３０とローカルエリアネットワークや公衆ネットワークとの間の通信制御を行う。上述の画像読取アプリケーションプログラムやドライバプログラムは、機械可読記録媒体に記録され、媒体読取部３７がこれを読み取ることにより補助記憶装置３３にインストールされてもよい。また、このコンピュータプログラムは、ネットワークインタフェース３８を介してネットワークからダウンロードされ、補助記憶装置３３にインストールされてもよい。
【００２９】
＜２．  画像読取装置の機能＞
続いて、画像読取装置１０の機能について説明する。図２は、画像読取装置１０の制御部１１の機能ブロック図を示す図である。制御部１１は、読取処理部５０、画像生成部５１と、判断部５２と、表示制御部５３と、指示部５４と、指示受付部５５と、画像置換部５６を備える。これらの構成要素５０〜５６による処理は、メモリ１２に格納された画像読取プログラムを制御部１１が実行することによって実施される。なお、図２は、以下の説明に関係する機能を中心として示している。このため、制御部１１は図示の構成要素以外の他の構成要素を含んでいてよい。
【００３０】
読取処理部５０は、原稿を読み取るための給紙機構２６、イメージセンサ２３、フィニッシャ２７等のハードウエアを駆動し、原稿を読み取る際の原稿読取装置１０の動作を制御する。画像生成部５１は、イメージセンサの出力信号から原稿画像を生成する。判断部５２は、超音波センサ２４の検出信号に基づいて、原稿に付箋やメモが貼り付けられているか否かを判断する。また判断部５２は、原稿のマルチフィードの発生を検出する。以下の説明において、付箋及びメモを総称して単に「付箋」と表記する。
【００３１】
表示制御部５３は、画像生成部５１によって生成された原稿画像及びＧＵＩを表示部１７に表示する表示処理を制御する。表示制御部５３は、制御装置３０のＣＰＵ３１と協働して、原稿画像やＧＵＩを外部表示装置４０に出力してもよい。
【００３２】
指示部５４は、ランプ２１及びブザー２２による視覚的指示、視覚的メッセージ、聴覚的指示や聴覚的メッセージの出力を制御する。指示受付部５５は、オペレータが操作ボタン２８を操作することにより与える指示を受け付ける。画像置換部５６は、画像生成部５１が生成する原稿の画像データのうち、付箋の添付やマルチフィードの発生時に読み取られた原稿画像を、再読み取りした画像で置換する処理を行う。なお、以下の説明において、原稿に付箋が添付された状態で読み取られた画像や、マルチフィードによって原稿が重なった状態で読み取られた画像など、不適切な状態で原稿が読み取られた時に生成された画像を「不適画像」と表記することがある。
【００３３】
＜３．  付箋検出時の処理内容＞
続いて、画像読取装置１０によって行われる処理内容について説明する。図３は、付箋検出時の処理の説明図である。ステップＳ１０１において読取処理部５０は、給紙機構２６、イメージセンサ２３、フィニッシャ２７を駆動して原稿読取処理を行う。画像生成部５１はイメージセンサの出力信号から原稿画像を生成する。
【００３４】
ステップＳ１０２において判断部５２は、超音波センサ２４によって、ステップＳ１０１で読み取った原稿に付箋が付されていることが検出されたか否かを判断する。付箋の添付が検出された場合（ステップＳ１０２：Ｙ）には、判断部５２はステップＳ１０１で読み取った原稿が不適画像であると判断し、処理はステップＳ１０３へ進む。付箋の添付が検出されない場合（ステップＳ１０２：Ｎ）には、処理はステップＳ１０１へ戻り、原稿の読み取りを継続する。なお、以下の説明において原稿に付箋が添付されていることを検出することを、単に付箋の検出と表記することがある。
【００３５】
ステップＳ１０３において読取処理部５０は、以下に説明するリカバリ補助処理を付箋の検出時に実行することが画像読取装置１０に設定されているか否かを判断する。リカバリ補助処理は、付箋やマルチフィードが検出された場合に、オペレータが原稿を再読み取りする作業を画像読取装置１０が補助する処理をいう。リカバリ補助処理が実行されることが設定されている場合（ステップＳ１０３：Ｙ）には、処理はステップＳ１０４に進む。リカバリ補助処理が実行されることが設定されていない場合（ステップＳ１０３：Ｎ）には、処理はステップＳ１０１へ戻り、原稿の読み取りを継続する。
【００３６】
ステップＳ１０４において指示部５４は、ランプ２１及びブザー２２による視覚的指示や視覚的メッセージ、及び聴覚的指示や聴覚的メッセージによって、リカバリ補助処理が行われることをオペレータに通知する。また、表示制御部５３は、表示部１７や外部表示装置４０に、リカバリ補助処理が行われることを示すメッセージを表示してもよい。これら通知を行うハードウエア並びに通知の態様は、オペレータが選択して画像読取装置１０に記憶させることができる。
【００３７】
ステップＳ１０５において読取処理部５０は、原稿に付箋が添付された状態で読み取られた付箋付き画像をメモリ１２内に記憶する。図４を参照して、付箋付き画像の記憶処理を説明する。ステップＳ２０１において読取処理部５０は、画像読取装置１０の設定を参照する。付箋付き画像の全体を記憶するように画像読取装置１０が設定されている場合（ステップＳ２０１：Ｙ）には、処理はステップＳ２０４に進む。原稿画像のうち付箋が写った部分を抽出して記憶することが許可されている場合（ステップＳ２０１：Ｎ）には、処理はステップＳ２０２に進む。
【００３８】
ステップＳ２０２において読取処理部５０は、原稿画像のうち付箋の部分を検出する。例えば読取処理部５０は、画像認識処理によって付箋の部分を検出してよい。例えば、読取処理部５０は、地の色の違いや付箋による文字の断続を検出することによって、付箋の部分を検出してよい。読取処理部５０は、付箋が原稿の中央部分に付されているか否かを判断する。
【００３９】
図５の（Ａ）は、付箋が原稿の中央部分に付されている場合の付箋付き画像の模式図である。符号１００は付箋が添付された原稿画像を示し、符号１０１は原稿画像中の付箋の画像により占められた部分を示す。図５の（Ｂ）は、付箋が原稿の中央部分から外れている場合の付箋付き画像の模式図である。付箋が原稿の中央部分に付されている場合（ステップＳ２０２：Ｙ）には、処理はステップＳ２０４に進む。付箋が原稿の中央部分から外れている場合（ステップＳ２０２：Ｎ）には、処理はステップＳ２０３に進む。
【００４０】
図４を参照する。ステップＳ２０３において読取処理部５０は、付箋付き画像を分割して付箋が付されていない部分を除去する。この状態の付箋付き画像を図５の（Ｃ）に示す。ステップＳ２０４において読取処理部５０は、ステップＳ２０３で付箋付き画像が分割された場合には分割画像を、そうでない場合には付箋付き画像の全体画像を圧縮する。ステップＳ２０５において読取処理部５０は、圧縮された画像をメモリ１２に記憶する。
【００４１】
図３を参照する。ステップＳ１０６において表示制御部５３は、付箋付き画像を表示部１７及び外部表示装置４０の両方又はいずれか一方に表示する。図６は、付箋付き画像の表示処理の説明図である。ステップＳ３０１において表示制御部５３は、圧縮された付箋付き画像をメモリ１２から読み出す。表示制御部５３は、圧縮された付箋付き画像を解凍する。
【００４２】
ステップＳ３０２において表示制御部５３は、画像読取装置１０の設定を参照する。表示制御部５３は、画像読取装置１０の設定に応じて表示部１７及び外部表示装置４０の両方又はいずれか一方を、付箋付き画像を表示する表示装置として決定する。ステップＳ３０３において表示制御部５３は、ステップＳ３０２で決定した表示装置に付箋付き画像を表示する。
【００４３】
図７の（Ａ）及び図７の（Ｂ）は、表示部１７に表示される付箋付き画像の表示態様の模式図である。付箋付き画像は、表示部１７の表示画面に出力されるＧＵＩ６０の中に表示されてよい。図７の（Ａ）は、操作ボタン２８が、表示部１７に表示されたＧＵＩ６０中のソフトウエアボタンである場合の表示例である。ＧＵＩ６０は、メッセージ表示領域６１と、付箋付き画像６２の表示領域を有する。なお、外部表示装置４０に付箋付き画像が表示される場合も、外部表示装置４０に表示されるＧＵＩは図示のＧＵＩ６０と同様であってよい。
【００４４】
付箋付き画像６２中の符号７０の部分は原稿画像中の付箋の画像により占められた部分を示す。表示制御部５３は、画像認識処理によって付箋部分を検出し、オペレータが付箋部分を確認しやすいように付箋部分を強調表示する。本実施例では、表示制御部５３は、枠線７１で付箋部分を囲むことにより強調表示する。他の実施例で表示制御部５３は、付箋部分を点滅させたり、特定の色で着色してもよい。操作ボタン２８は、ソフトウエアボタンとしての再読取ボタン６３、画像廃棄ボタン６４、非表示ボタン６５及び終了ボタン６６を含む。
【００４５】
図７の（Ｂ）は、操作ボタン２８が、ハードウエアボタンとして画像読取装置１０に設けられた場合の表示例である。表示部１７の表示画面に出力されるＧＵＩ６０は、メッセージ表示領域６１と、付箋付き画像６２の表示領域を有する。表示部１７の表示画面に併設される操作ボタン２８は、ハードウエアボタンとしての再読取ボタン６３、画像廃棄ボタン６４、非表示ボタン６５、終了ボタン６６及びカーソルキー６７を含む。
【００４６】
ある実施例では、表示制御部５３は、オペレータの指示があった場合や待機時間が経過した場合に、表示部１７や外部表示装置４０の状態を、付箋付き画像を表示しない非表示状態にしてもよい。図８は、付箋付き画像の表示制御処理の説明図である。ステップＳ４０１において表示制御部５３は、画像読取装置１０の設定を参照する。付箋付き画像の非表示状態に遷移することが許可されている場合（ステップＳ４０１：Ｙ）には、処理はステップＳ４０２へ進む。非表示状態への遷移が許可されていない場合（ステップＳ４０１：Ｎ）には表示制御処理を終了する。
【００４７】
ステップＳ４０２において表示制御部５３は、オペレータからの指示がある場合に非表示状態に遷移することが許可されているか否かを判断する。オペレータからの指示がある場合に非表示状態に遷移することが許可されている場合（ステップＳ４０２：Ｙ）には、処理はステップＳ４０３へ進む。オペレータからの指示がなくても非表示状態に遷移することが許可されている場合（ステップＳ４０２：Ｎ）には、処理はステップＳ４０４へ進む。
【００４８】
ステップＳ４０３において表示制御部５３は、非表示状態に遷移する指示をオペレータから受け付けるのを待つ。非表示状態に遷移する指示は、図７の（Ａ）及び図７の（Ｂ）で示した非表示ボタン６５をオペレータが押下することによって与えられる。表示制御部５３は、指示があるまでステップＳ４０３を反復し（ステップＳ４０３：Ｎ）、指示があった場合（ステップＳ４０３：Ｙ）には処理をステップＳ４０５へ進める。一方でステップＳ４０４において表示制御部５３は、待機時間が経過するまでステップＳ４０４を反復し（ステップＳ４０４：Ｎ）、経過時間が経過した場合（ステップＳ４０４：Ｙ）には処理をステップＳ４０５へ進める。ステップＳ４０５において表示制御部５３は、表示部１７や外部表示装置４０の状態を付箋付き画像が表示されない状態にして、表示制御処理を終了する。
【００４９】
図３を参照する。ステップＳ１０７において指示受付部５５は、操作ボタン２８の操作によるオペレータの指示を受け付ける。この間に、ＧＵＩ６０のメッセージ表示領域６１には、図７の（Ａ）及び図７の（Ｂ）で示すように付箋を検出したことを知らせるメッセージ及び／又は付箋の除去をオペレータに促すメッセージが表示される。他の実施例では、指示部５４は、付箋を検出したことを知らせる通知及び／又は付箋の除去をオペレータに促す通知をランプ２１及びブザー２２に出力してもよい。
【００５０】
オペレータの指示がある場合（ステップＳ１０８：Ｙ）には、処理はステップＳ１１０に進む。オペレータの指示がない場合（ステップＳ１０８：Ｎ）には、処理はステップＳ１０９へ進む。ステップＳ１０９において読取処理部５０は、待機時間が経過したか否かを判断する。待機時間が経過した場合（ステップＳ１０９：Ｙ）には、処理はステップＳ１０１へ戻り、読取処理部５０は原稿の読み取りを継続する。待機時間が経過していない場合（ステップＳ１０９：Ｎ）には、処理はステップＳ１０８へ戻る。
【００５１】
ステップＳ１１０において制御部１１は、付箋が付された原稿の画像を再度読み取るための単数葉再読取処理を実行する。図９は単数葉再読取処理の説明図である。ステップＳ５０１において指示受付部５５は、オペレータの指示内容を判断する。オペレータの指示が再読取指示である場合には処理はステップＳ５０２へ進む。再読取指示は、オペレータが原稿に付された付箋を取り除いた後に図７の（Ａ）及び図７の（Ｂ）で示した再読取ボタン６３を押下することによって与えられる。オペレータの指示が廃棄指示である場合には処理はステップＳ５０７へ進む。廃棄指示は、オペレータが画像廃棄ボタン６４を押下することによって与えられる。
【００５２】
ステップＳ５０２において読取処理部５０は、給紙機構２６、イメージセンサ２３、フィニッシャ２７を駆動して原稿読取処理を行う。ステップＳ５０３において読取処理部５０は、原稿枚数が複数であるか否かを判断する。原稿枚数が複数である場合（ステップＳ５０３：Ｙ）には、処理はステップＳ５０４へ進む。原稿枚数が単数である場合（ステップＳ５０３：Ｎ）には、処理はステップＳ５０５へ進む。
【００５３】
ステップＳ５０４において読取処理部５０は、フィニッシャ２７を駆動して再読み取りされた原稿の排出位置を他の原稿の排出位置からずらす。このように再読み取りされた原稿の排出位置をずらすことによって、オペレータが付箋を再び元の原稿に貼る際に原稿を選びやすくする。
【００５４】
ステップＳ５０５において画像置換部５６は、読み取り原稿の画像データのうち、付箋付き画像のデータを再読み取りによって得られた画像データで置換する。ステップＳ５０６において表示制御部５３は、再読み取りが完了したことを通知するメッセージを表示部１７や外部表示装置４０に表示する。図１０の（Ａ）及び図１０の（Ｂ）は、再読み取り完了後のＧＵＩ６０の表示状態の説明図である。図１０の（Ａ）及び図１０の（Ｂ）は、それぞれ、操作ボタン２８がソフトウエアボタン及びハードウエアボタンである場合の表示例を示す。
【００５５】
表示制御部５３は、再読み取りが完了した旨のメッセージ及び／又は付箋の貼り直しをオペレータに促すメッセージをメッセージ表示領域６１に表示してよい。他の実施例では、指示部５４は、再読み取りが完了した旨の通知及び／又は付箋の貼り直しをオペレータに促す通知をランプ２１及びブザー２２に出力してもよい。表示制御部５３は、ＧＵＩ６０に再読み取り後の原稿の画像６８を表示してもよい。そして、指示受付部５５は、操作ボタン２８の操作によるオペレータの指示を受け付ける。オペレータの指示があった場合には処理をＳ５０１へ戻す。
【００５６】
図９を参照する。一方で、廃棄指示があった場合には、ステップＳ５０７において表示制御部５３は付箋付き画像の表示を停止してメモリ１２内に格納された付箋付き画像を廃棄する。このように表示制御部５３及び／又は指示部５４は、付箋付き画像が読み取られた原稿の再読み取りが行われた後に、オペレータに付箋の貼り直しを促すメッセージを出力する。このためオペレータは再読み取り中に付箋の貼り直しに注意しなくても済むため負担が軽減される。また、付箋の貼り直し忘れが低減する。
【００５７】
また、原稿の再読み取りが行われた後にも、廃棄指示があるまで表示部１７及び／又は外部表示装置４０に付箋付き画像が表示される。このため、オペレータは容易に貼り直し位置をいちいち覚えなくても、容易かつ正確に元の位置に付箋を貼り直すことができる。
【００５８】
図３を参照する。ステップＳ１１１において読取処理部５０は、全ての原稿の読み取りが終了したか否かを判断する。まだ読み取っていない原稿が残っている場合（ステップＳ１１１：Ｎ）には、処理はステップＳ１０１に戻る。全ての原稿が読み取られた場合（ステップＳ１１１：Ｙ）には、処理はステップＳ１１２へ進む。
【００５９】
ステップＳ１１２において読取処理部５０は、まだ、再読み取り処理が行われていない付箋付き画像が残っているか否かを判断する。例えば、ステップＳ１０９において待機時間が経過したため、ステップＳ１１０の単数葉再読取処理が行われずに読み込みが続行された場合に、再読み取り処理が行われていない付箋付き画像が残る。再読み取り処理が行われていない付箋付き画像が残っている場合（ステップＳ１１２：Ｙ）には処理はＳ１１３へ進む。再読み取り処理が行われていない付箋付き画像がない場合（ステップＳ１１２：Ｎ）には処理は終了する。
【００６０】
ステップＳ１１３において読取処理部５０は、残存する付箋付き画像が複数か否かを判断する。付箋付き画像が単数（ステップＳ１１２：Ｎ）の場合には処理はステップＳ１１４に進む。付箋付き画像が複数（ステップＳ１１２：Ｙ）の場合には処理はステップＳ１１５に進む。
【００６１】
ステップＳ１１４において制御部１１は、付箋付き画像が読み取られた１ページの原稿を再読み取りするための単数葉指示受付処理を実行する。単数葉指示受付処理については後述する。単数葉指示受付処理の後に処理が終了する。ステップＳ１１５において制御部１１は、付箋付き画像が読み取られた複数ページの原稿を再読み取りするための複数葉指示受付処理を実行する。複数葉指示受付処理については後述する。複数葉指示受付処理の後に処理が終了する。
【００６２】
次に、図３に示すステップＳ１１４の単数葉指示受付処理の内容を説明する。図１１は、単数葉指示受付処理の説明図である。ステップＳ６０１において表示制御部５３は、付箋付き画像を表示部１７及び／又は外部表示装置４０に表示する。付箋付き画像の表示態様は、図７の（Ａ）及び図７の（Ｂ）に示した態様と同様であってよい。
【００６３】
ステップＳ６０２において指示受付部５５は、操作ボタン２８の操作によるオペレータの指示を受け付ける。ステップＳ６０３において制御部１１は、図９に示す単数葉再読取処理と同じ処理によって付箋が付された原稿の画像を再度読み取る。その後、単数葉指示受付処理は終了する。
【００６４】
次に、図３に示すステップＳ１１５の複数葉指示受付処理の内容を説明する。図１２は、複数葉指示受付処理の第１例の説明図である。ステップＳ７０１において表示制御部５３は、再読み取り処理が行われていない付箋付き画像を表示部１７及び／又は外部表示装置４０に表示する。
【００６５】
図１３の（Ａ）及び図１３の（Ｂ）は、図１２の複数葉指示受付処理におけるＧＵＩの表示状態の説明図である。図１３の（Ａ）及び図１３の（Ｂ）は、それぞれ、操作ボタン２８がソフトウエアボタン及びハードウエアボタンである場合の表示例を示す。ＧＵＩ６０には、図３のステップＳ１１０で再読み取り処理が行わなかった複数の付箋付き画像６２ａ〜６２ｃが表示される。表示制御部５３は、付箋を検出したことを知らせるメッセージ、付箋の除去をオペレータに促すメッセージ、及び／又は付箋付き画像６２ａ〜６２ｃの中から再読み取りする画像を選択することを促すメッセージをメッセージ表示領域６１に表示する。
【００６６】
図１２を参照する。ステップＳ７０２において指示受付部５５は、操作ボタン２８の操作によるオペレータの指示を受け付ける。このとき指示受付部５５は、付箋付き画像６２ａ〜６２ｃをユーザが選択する指示を受け付ける。指示受付部５５は、再読取ボタン６３及び画像廃棄ボタン６４の押下操作に関連して行われる付箋付き画像６２ａ〜６２ｃの選択操作を受け付けることにより、これらの処理の対象の画像を特定する。
【００６７】
図１３の（Ａ）のようにタッチパネルが設けられたＧＵＩ６０をオペレータが押下する場合、指示受付部５５は、付箋付き画像６２ａ〜６２ｃの部分をオペレータの押下する操作に応じて画像の選択を受け付けてよい。また、ＧＵＩ６０には、選択画像を選ぶためのカーソルキーをソフトウエアボタンとして表示してもよい。
【００６８】
図１３の（Ｂ）のようにハードウエアキーのカーソルキー６７が設けられる場合には、指示受付部５５は、カーソルキー６７の操作によるオペレータの画像の選択を受け付ける。例えば、オペレータはカーソル７２をカーソルキー６７で動かすことによって画像の選択を選択してよい。他の実施例では、付箋付き画像６２ａ〜６２ｃを点滅させて選択位置を表示してもよい。
【００６９】
ステップＳ７０３において指示受付部５５は、オペレータの指示内容を判断する。オペレータの指示が再読取指示である場合には処理はステップＳ７０４へ進む。オペレータの指示が廃棄指示である場合には処理はステップＳ７０８へ進む。オペレータの指示が終了指示である場合には処理はステップＳ７０９へ進む。終了指示は、図１３の（Ａ）及び図１３の（Ｂ）の終了ボタン６６を押下されることによって与えられる。
【００７０】
ステップＳ７０４において読取処理部５０は、原稿読取処理を行う。ステップＳ７０５において読取処理部５０は、原稿枚数が複数であるか否かを判断する。原稿枚数が複数である場合（ステップＳ７０５：Ｙ）には、処理はステップＳ７０６へ進む。原稿枚数が単数である場合（ステップＳ７０５：Ｎ）には、処理はステップＳ７０７へ進む。ステップＳ７０６において読取処理部５０は、フィニッシャ２７を駆動して再読み取りされた原稿の排出位置を他の原稿の排出位置からずらす。
【００７１】
ステップＳ７０７において画像置換部５６は、読み取り原稿の画像データのうち、ステップＳ７０２において選択された付箋付き画像のデータを、再読み取りによって得られた画像データで置換する。表示制御部５３は、再読み取りが完了したことを通知するメッセージを表示部１７や外部表示装置４０に表示する。図１４の（Ａ）及び図１４の（Ｂ）は、再読み取り後のＧＵＩの表示状態の説明図である。図１４の（Ａ）及び図１４の（Ｂ）は、それぞれ、操作ボタン２８がソフトウエアボタン及びハードウエアボタンである場合の表示例を示す。表示制御部５３は、再読み取りが完了した旨のメッセージ及び／又は付箋の貼り直しをオペレータに促すメッセージをメッセージ表示領域６１に表示してよい。
【００７２】
その後、メモリ１２内に格納された付箋付き画像は廃棄されずに、表示部１７及び／又は外部表示装置４０に表示されたまま、処理はステップＳ７０２に戻り、指示受付部５５がオペレータの指示を受け付ける。したがって、原稿の再読み取りが行われた後にも、廃棄指示があるまで表示部１７及び／又は外部表示装置４０に付箋付き画像が表示される。
【００７３】
廃棄指示があった場合には、ステップＳ７０８において表示制御部５３は、ステップＳ７０２において選択された付箋付き画像の表示を停止してメモリ１２内に格納された付箋付き画像を廃棄する。その後に処理はステップＳ７０２に戻る。
【００７４】
終了指示が行われた場合には、ステップＳ７０９において表示制御部５３は、まだ廃棄されていない付箋付き画像の表示を停止し、これらの画像をメモリ１２から廃棄する。その後に複数葉指示受付処理は終了する。
【００７５】
続いて、複数葉指示受付処理の他の例を説明する。この処理では、オペレータは付箋が付された複数の原稿を連続して再読み取りする。制御部１１は、連続して読み取られた各々の原稿が、付箋付き画像が読み込まれた複数の原稿のいずれであるかを認識し、付箋付き画像を、対応する再読み取り画像で置換する。
【００７６】
図１５は、複数葉指示受付処理の第２例の説明図である。ステップＳ８０１において表示制御部５３は、再読み取り処理が行われていない付箋付き画像を表示部１７及び／又は外部表示装置４０に表示する。ステップＳ８０２において指示受付部５５は、操作ボタン２８の操作によるオペレータの指示を受け付ける。オペレータは、再読取指示をする際には、付箋が付された複数の原稿の付箋を取り除いてから、これらを複数の原稿を一度に原稿トレイに再セットする。
【００７７】
ステップＳ８０３においてオペレータの指示内容を判断する。オペレータの指示が再読取指示である場合には処理はステップＳ８０４へ進む。オペレータの指示が廃棄指示である場合には処理はステップＳ８０７へ進む。ステップＳ８０４において読取処理部５０は、これら複数の原稿を連続して読み取る。
【００７８】
ステップＳ８０５において読取処理部５０は、再読み取りされた原稿が、付箋付き画像が読み込まれた複数の原稿のいずれであるかを認識する。例えば、読取処理部５０は、再読み取りされた原稿の画像と付箋付き画像との間の類似度や相関を算出することによって、再読み取りされた原稿と付箋付き画像が読み込まれた原稿とが一致するか否かを判断してよい。ステップＳ８０６において画像置換部５６は、読み取り原稿の画像データのうち、複数の付箋付き画像のデータをそれぞれに対応する再読み取り画像で置換する。
【００７９】
その後、メモリ１２内に格納された付箋付き画像は廃棄されずに、表示部１７及び／又は外部表示装置４０に表示されたまま、処理はステップＳ８０２に戻り、指示受付部５５がオペレータの指示を受け付ける。したがって、原稿の再読み取りが行われた後にも、廃棄指示があるまで表示部１７及び／又は外部表示装置４０に付箋付き画像が表示される。
【００８０】
廃棄指示があった場合には、ステップＳ８０７において表示制御部５３は、付箋付き画像の表示を停止してメモリ１２内に格納された付箋付き画像を廃棄する。その後に複数葉指示受付処理は終了する。
【００８１】
以上による付箋検出時の処理によれば、付箋を取り除いた原稿画像の再読み取りをした後に、画像読取装置１０は付箋を貼り直すことをオペレータに通知する。このためオペレータは再読み取り中に付箋の貼り直しに注意しなくても済むため負担が軽減される。また、付箋の貼り直し忘れが低減する。
【００８２】
また、以上による付箋検出時の処理によれば、付箋が検出されたときに原稿画像の再読み取りをした後も、画像読取装置１０は、付箋が貼られた付箋付き画像を表示する。このため、オペレータは容易に貼り直し位置を覚えなくても、容易かつ正確に元の位置に付箋を貼り直すことができる。
【００８３】
＜４．  マルチフィード発生時の処理内容＞
続いて、原稿のマルチフィードが発生した際の画像読取装置１０の処理内容について説明する。画像読取装置１０は、原稿のマルチフィードが発生した際には、画像読取装置１０に対して施された設定に応じて、以下に説明するリカバリ補助処理を実行する。
【００８４】
図１６は、マルチフィード検出時の処理の説明図である。ステップＳ９０１において読取処理部５０は原稿読取処理を行う。画像生成部５１はイメージセンサの出力信号から原稿画像を生成する。ステップＳ９０２において判断部５２は、超音波センサ２４によって、ステップＳ９０１で原稿を読み取った際にマルチフィードが発生したことが検出されたか否かを判断する。
【００８５】
マルチフィードの発生が検出された場合（ステップＳ９０２：Ｙ）には、判断部５２はステップＳ９０１で読み取った原稿が不適画像であると判断し、処理はステップＳ９０３に進む。マルチフィードの発生が検出されない場合（ステップＳ９０２：Ｎ）には、処理はステップＳ９０１へ戻り、原稿の読み取りを継続する。ステップＳ９０３において読取処理部５０は、マルチフィードが発生した原稿のページを記憶する。以下の説明で、マルチフィードが発生した時にステップＳ９０１で読み取った原稿を「マルチフィード画像」と表記することがある。
【００８６】
ステップＳ９０４において読取処理部５０は、リカバリ補助処理をマルチフィード発生時に実行することが画像読取装置１０に設定されているか否かを判断する。リカバリ補助処理が実行されることが設定されている場合（ステップＳ９０４：Ｙ）には、処理はステップＳ９０５に進む。リカバリ補助処理が実行されることが設定されていない場合（ステップＳ９０４：Ｎ）には、処理はステップＳ９０１へ戻り、原稿の読み取りを継続する。
【００８７】
ステップＳ９０５において指示部５４は、ランプ２１及びブザー２２によりリカバリ補助処理が行われることをオペレータに通知する。また、表示制御部５３は、リカバリ補助処理が行われることを示すメッセージを表示してもよい。ステップＳ９０６において読取処理部５０は、マルチフィード画像をメモリ１２内に記憶する。読取処理部５０は、マルチフィード画像を圧縮してからメモリ１２内に記憶してよい。
【００８８】
ステップＳ９０７において表示制御部５３は、画像読取装置１０の設定に応じてマルチフィード画像を表示部１７及び外部表示装置４０の両方又はいずれか一方に表示する。図１７の（Ａ）はマルチフィード発生時に表示部１７に表示されるＧＵＩの表示状態の説明図である。図１７の（Ａ）は、操作ボタン２８が、表示部１７の表示部に表示されたＧＵＩ６０中のソフトウエアボタンである場合の表示例である。外部表示装置４０にマルチフィード画像が表示される場合も、外部表示装置４０に表示されるＧＵＩは図示のＧＵＩ６０と同様であってよい。
【００８９】
ＧＵＩ６０は、メッセージ表示領域６１と、マルチフィード画像７３の表示領域を有する。操作ボタン２８は、ソフトウエアボタンとしての再開ボタン６９、画像廃棄ボタン６４、非表示ボタン６５及び終了ボタン６６を含む。ハードウエアボタンとして画像読取装置１０に設けられた場合も、操作ボタン２８は再開ボタン６９を含んでいてよい。また、再読取ボタン６３が再開ボタン６９と兼用されてもよい。
【００９０】
図１６を参照する。ステップＳ９０８において指示受付部５５は、操作ボタン２８の操作によるオペレータの指示を受け付ける。この間にＧＵＩ６０のメッセージ表示領域６１には、図１７の（Ａ）で示すようにマルチフィードを検出したことを知らせるメッセージが表示される。他の実施例では、指示部５４は、マルチフィードを検出したことを知らせる通知をランプ２１及びブザー２２に出力してもよい。
【００９１】
ステップＳ９０９において指示受付部５５は、オペレータによる再開指示が与えられたか否かを判断する。再読取指示は、オペレータが原稿を原稿トレイに再セットした後に、図１７の（Ａ）で示した再開ボタン６９を押下することによって与えられる。再開指示が与えられた場合（ステップＳ９０９：Ｙ）には、処理はステップＳ９１０に進む。再開指示が与えられない場合（ステップＳ９０９：Ｎ）には、処理はステップＳ９０８へ戻る。
【００９２】
ステップＳ９１０において読取処理部５０は、ステップＳ９０３で記憶したマルチフィード発生ページの手前まで原稿を空送りしてから原稿の読み取りを再開する。ステップＳ９１１において表示制御部５３は、マルチフィード画像と、マルチフィード発生ページの再読み取り画像と、その前後のページの画像を同時に表示する。
【００９３】
図１７の（Ｂ）は再読み取り後の発生時のＧＵＩの表示状態の説明図である。ＧＵＩ６０には、マルチフィード画像７３と、マルチフィード発生ページの再読み取り画像７４と、その前後のページの画像７５及び７６が同時に表示される。また、表示制御部５３は、読み取りが完了したことを知らせるメッセージをメッセージ表示領域６１に表示する。他の実施例では、指示部５４は、読み取りが完了したことを知らせる通知をランプ２１及びブザー２２に出力してもよい。
【００９４】
ステップＳ９１２において指示受付部５５は、操作ボタン２８の操作によるオペレータの指示を受け付ける。ステップＳ９１３において指示受付部５５は、オペレータによる廃棄指示が与えられたか否かを判断する。廃棄指示が与えられた場合（ステップＳ９１３：Ｙ）には、表示制御部５３は、マルチフィード画像の表示を停止してメモリ１２内に格納されたマルチフィード画像を廃棄する。その後に処理は終了する。廃棄指示が与えられない場合（ステップＳ９１３：Ｎ）には、処理はステップＳ９１２に戻る。
【００９５】
以上のマルチフィード発生時の処理によれば、マルチフィードが検出されたとき、再開した原稿の読み取りが完了した後に、マルチフィード画像と、マルチフィードの発生箇所の付近で再読み取りした原稿画像が同時に表示される。このため、オペレータが、マルチフィードの発生箇所においてページの欠落や重複が発生したか否かを確認することが容易になる。
＜５．  他の実施例について＞
続いて他の実施例について説明する。他の実施例では、制御装置３０のＣＰＵ３１が、画像読取アプリケーションプログラムやドライバプログラムを実行することによって、画像読取装置１０の制御部１１による上述の処理のいずれかを実施してもよい。このときＣＰＵ３１は、付箋付き画像やマルチフィード画像といった不適画像をメモリ３２や補助記憶装置３３に記憶してもよい。ＣＰＵ３１は、上述のＧＵＩ６０を外部表示装置４０に表示し、ＧＵＩ６０の中に不適画像を表示してよい。また、ＣＰＵ３１は、画像読取装置１０の制御部１１と協働して、メモリ３２や補助記憶装置３３に記憶した不適画像やＧＵＩ６０を、画像読取装置１０の表示部１７に出力してもよい。また、ＣＰＵ３１は、上記のオペレータによる各種指示を、入出力部３５によって受け付けてもよい。
【符号の説明】
【００９６】
１    画像読取システム
１０    画像読取装置
３０    制御装置
４０    外部表示装置
５１    画像生成部
５２    判断部
５３    表示制御部
５５    指示受付部
５６    画像置換部
【図１】
0005766078.tif 000002
【図２】
0005766078.tif 000003
【図３】
0005766078.tif 000004
【図４】
0005766078.tif 000005
【図５】
0005766078.tif 000006
【図６】
0005766078.tif 000007
【図７】
0005766078.tif 000008
【図８】
0005766078.tif 000009
【図９】
0005766078.tif 000010
【図１０】
0005766078.tif 000011
【図１１】
0005766078.tif 000012
【図１２】
0005766078.tif 000013
【図１３】
0005766078.tif 000014
【図１４】
0005766078.tif 000015
【図１５】
0005766078.tif 000016
【図１６】
0005766078.tif 000017
【図１７】
0005766078.tif 000018